(57)【要約】【課題】アンテナとＩＣ回路部との良好なインピーダンス整合状態を実現でき、長距離通信を確実に行う。【解決手段】情報を記憶するＩＣ回路部１５１と、このＩＣ回路部１５１に接続されたアンテナ１５２とを備え、情報の送受信を行う無線タグ回路素子Ｔoであって、ＩＣ回路部１５１は、外部からの入力信号に応じインピーダンスを可変設定し、その設定状態を不揮発性にて保持するための制御回路・メモリ１５５、キャパシタＣ１〜４、ヒューズＦ１１〜４２、ＦＥＴｔ１１〜４２を備える。【選択図】  図５
2006243920.tif 000002
【特許請求の範囲】
【請求項１】
情報を記憶するＩＣ回路部と、このＩＣ回路部に接続されたタグ側アンテナとを備え、情報の送受信を行う無線タグ回路素子であって、
前記ＩＣ回路部は、外部からの入力信号に応じインピーダンスを可変設定し、その設定状態を不揮発性にて保持するインピーダンス制御手段を備えることを特徴とする無線タグ回路素子。
【請求項２】
請求項１記載の無線タグ回路素子において、
前記インピーダンス制御手段は、
前記タグ側アンテナに対し互いに並列に接続された複数のリアクタンス素子と、
これら複数のリアクタンス素子にそれぞれ直列に接続された複数のヒューズと、
前記外部からの入力信号に応じて、前記複数のヒューズを個別に切断可能な切断制御手段とを備えることを特徴とする無線タグ回路素子。
【請求項３】
請求項２記載の無線タグ回路素子において、
前記リアクタンス素子は、キャパシタであることを特徴とする無線タグ回路素子。
【請求項４】
請求項２又は３記載の無線タグ回路素子において、
前記切断制御手段は、前記外部からの入力信号に応じて制御信号を出力するタグ側第１制御手段と、このタグ側第１制御手段からの前記制御信号に応じて前記ヒューズに溶断電流を供給可能なヒューズ制御用電流印加手段とを備えることを特徴とする無線タグ回路素子。
【請求項５】
請求項２乃至４のいずれか１項記載の無線タグ回路素子において、
前記切断制御手段は、前記複数のヒューズのうち切断可能な個数あるいは箇所に関する情報を記憶する第１不揮発性記憶手段を備えることを特徴とする無線タグ回路素子。
【請求項６】
請求項１記載の無線タグ回路素子において、
前記インピーダンス制御手段は、
前記タグ側アンテナに接続されたリアクタンス素子と、
前記タグ側アンテナに関し直列あるいは並列に接続された記憶スイッチ素子と、
前記外部からの入力信号に応じて、前記記憶スイッチ素子を制御可能な素子制御手段とを備えることを特徴とする無線タグ回路素子。
【請求項７】
請求項６記載の無線タグ回路素子において、
前記記憶スイッチ素子は、浮遊ゲート型電界効果トランジスタであることを特徴とする無線タグ回路素子。
【請求項８】
請求項７記載の無線タグ回路素子において、
前記素子制御手段は、前記外部からの入力信号に応じて制御信号を出力するタグ側第２制御手段と、このタグ側第２制御手段からの前記制御信号に応じて前記浮遊ゲート型電界効果トランジスタに所定の電荷を発生可能な電荷注入手段とを備えることを特徴とする無線タグ回路素子。
【請求項９】
請求項７又は８記載の無線タグ回路素子において、
前記素子制御手段は、前記浮遊ゲート型電界効果トランジスタの電荷量又は電荷量レベルに関する情報を記憶する第２不揮発性記憶手段を備えることを特徴とする無線タグ回路素子。
【請求項１０】
タグテープに配置され、外部からの入力信号に応じインピーダンスを可変設定しその設定状態を不揮発性にて保持するインピーダンス制御手段を有するＩＣ回路部及びこのＩＣ回路部に接続されたタグ側アンテナを備えた無線タグ回路素子との間で無線通信により情報の送受信を行う装置側アンテナと、
前記ＩＣ回路部へのアクセス情報を生成し、前記装置側アンテナを介して前記無線タグ回路素子へ送信し、前記ＩＣ回路部へアクセスを行う情報アクセス手段と、
この情報アクセス手段による前記アクセス情報に応じて前記無線タグ回路素子より返信された返信信号を、前記装置側アンテナを介して受信する返信信号受信手段と、
この返信信号受信手段で受信された前記返信信号より、前記ＩＣ回路部のインピーダンスと前記タグ側アンテナのインピーダンスとの整合状態を判定する判定手段と、
この判定手段の前記判定結果に基づき、前記無線タグ回路素子の前記ＩＣ回路部の前記インピーダンス制御手段へインピーダンス設定用の制御信号を出力するインピーダンス制御信号出力手段とを有することを特徴とするタグラベル作成装置。
【請求項１１】
請求項１０記載のタグラベル作成装置において、
前記判定手段は、前記情報アクセス手段が所定の信号強度で前記無線タグ回路素子への送信を行い、これに対する前記返信信号が前記返信信号受信手段で受信されたとき、前記前記ＩＣ回路部のインピーダンスと前記タグ側アンテナのインピーダンスとの整合完了状態と判定することを特徴とするタグラベル作成装置。
【請求項１２】
請求項１０記載のタグラベル作成装置において、
前記返信信号受信手段で受信された前記返信信号の信号強度を検出する信号強度検出手段を有し、
前記判定手段は、前記情報アクセス手段が所定の信号強度で前記無線タグ回路素子への送信を行い、前記信号強度検出手段で検出された前記返信信号の信号強度が所定のしきい値以上となったとき、前記前記ＩＣ回路部のインピーダンスと前記タグ側アンテナのインピーダンスとの整合完了状態と判定することを特徴とするタグラベル作成装置。
【請求項１３】
請求項１０乃至１２のいずれか１項記載のタグラベル作成装置において、
前記タグテープを繰り出すための駆動手段と、
前記タグテープの所定領域に印字を行う印字手段とを有することを特徴とするタグラベル作成装置。
【請求項１４】
請求項１３記載のタグラベル作成装置において、
前記タグテープの繰り出しが停止したときに前記判定及びこれに応じた前記インピーダンス設定用の制御信号の出力を行うように、前記駆動手段、前記判定手段、及び前記インピーダンス制御信号出力手段を制御する装置側第１制御手段を有することを特徴とするタグラベル作成装置。
【請求項１５】
請求項１３記載のタグラベル作成装置において、
前記タグテープの所定領域への印字が開始される前に前記判定及びこれに応じた前記インピーダンス設定用の制御信号の出力を行うように、前記印字手段、前記判定手段、及び前記インピーダンス制御信号出力手段を制御する装置側第２制御手段を有することを特徴とするタグラベル作成装置。
【請求項１６】
請求項１３記載のタグラベル作成装置において、
前記タグテープの所定領域への印字が完了した後に前記判定及びこれに応じた前記インピーダンス設定用の制御信号の出力を行うように、前記印字手段、前記判定手段、及び前記インピーダンス制御信号出力手段を制御する装置側第３制御手段を有することを特徴とするタグラベル作成装置。
【発明の詳細な説明】
【技術分野】
【０００１】
本発明は、外部より無線通信を介し無線タグ情報の読み取り又は書き込みを行える無線タグ回路素子及びこれを備えたタグラベルを作成するタグラベル作成装置に関する。
【背景技術】
【０００２】
従来、受信機とアンテナのアンテナインピーダンスを、受信周波数に応じて整合する無線通信システムがすでに提唱されている（例えば、特許文献１参照）。この従来技術では、アンテナインピーダンス検出値に基づいてマッチングデータを受信周波数ごとに取得して記憶手段に記憶する。そして、受信時にその受信周波数に応答して対応する記憶マッチングデータを読み出し、その読み出したデータに対応した整合制御信号で整合用素子により定数を調整制御し、自動的に整合を行うようになっている。
【特許文献１】特開平６−９０１８６号公報
【発明の開示】
【発明が解決しようとする課題】
【０００３】
近年、小型の無線タグに対し、リーダ／ライタより非接触で問い合わせの送信及び返答の受信を行うことで、無線タグの情報の読み取り／書き込みを行うＲＦＩＤ（Ｒａｄｉｏ
Ｆｒｅｑｕｅｎｃｙ Ｉｄｅｎｔｉｆｉｃａｔｉｏｎ）システムが知られている。
【０００４】
無線タグに備えられた無線タグ回路素子は、所定の無線タグ情報を記憶するＩＣ回路部と、このＩＣ回路部に接続されたアンテナと、アンテナで受信した質問器からの搬送波(信号)を整流して電力を発生させる電力発生手段と、所定の情報信号に基づき搬送波を変調し、アンテナを介し反射返信する変調反射手段とが備えられている。そして、無線タグが汚れている場合や見えない位置に配置されている場合であっても、リーダ／ライタ側よりＩＣ回路部に対してアクセス（情報の読み取り／書き込み）が可能であり、商品管理や検査工程等の様々な分野において実用が期待されている。
【０００５】
このような無線タグ通信システムにおいて、アンテナとＩＣ回路部とのインピーダンスを整合させ効率よく電力を発生させ通信を行うために、上記従来技術を適用し、装置側（リーダ／ライタ側）から送信された信号を無線タグ回路素子のアンテナで受信した時に、ＩＣ回路部のメモリに予め格納蓄積されていたマッチングデータを読み出し、これに応じてインピーダンス整合を行うことが考えられる。
【０００６】
しかしながら、この場合、以下のような不都合が生じる。すなわち、無線タグ回路素子は受信電波により電力が供給されこれを駆動源として動作するものが多いため、例えば装置側（リーダ／ライタ側）から無線タグ回路素子までの距離が比較的離れていると無線タグ回路素子へ電力が十分に供給されず、インピーダンス整合を行うためにメモリからデータを読み出す動作自体が不可能となる可能性がある。このため無線タグ回路素子のアンテナとＩＣ回路部との良好なインピーダンス整合状態を確保するのは難しく、長距離通信を確実に行うのは困難であった。
【０００７】
本発明の目的は、アンテナとＩＣ回路部との良好なインピーダンス整合状態を実現でき、長距離通信を確実に行うことができる無線タグ回路素子及びこれを備えた無線タグラベルを作成するタグラベル作成装置を提供することにある。
【課題を解決するための手段】
【０００８】
上記目的を達成するために、第１の発明は、情報を記憶するＩＣ回路部と、このＩＣ回路部に接続されたタグ側アンテナとを備え、情報の送受信を行う無線タグ回路素子であって、前記ＩＣ回路部は、外部からの入力信号に応じインピーダンスを可変設定し、その設定状態を不揮発性にて保持するインピーダンス制御手段を備えることを特徴とする。
【０００９】
本願第１発明においては、ＩＣ回路部に設けたインピーダンス制御手段が、外部入力信号に応じて無線タグ回路素子のインピーダンスを可変に設定する機能を備えている。これにより、例えば比較的強い信号強度が確保できるタグラベル作成装置の装置側アンテナにより無線タグ回路素子インピーダンス整合のための信号送信を行い、これに対する無線タグ回路素子側からの返信信号に応じてインピーダンス設定用の制御信号をインピーダンス制御手段へ出力しＩＣ回路部のインピーダンスを可変に設定するようにすれば、インピーダンス制御手段へ確実に電力を供給してインピーダンス整合を実行することができる。またこのとき、インピーダンス制御手段が設定したインピーダンスを不揮発性にて保持する機能を備えることにより、いったんインピーダンス整合設定した後は、特に整合用の駆動電源等をさらに発生させなくても、確実に当該良好なインピーダンス整合状態を維持できる。以上の結果、無線タグ回路素子のアンテナとＩＣ回路部との良好なインピーダンス整合状態を常に実現できるので、長距離通信を確実に行うことができる。
【００１０】
第２の発明は、上記第１発明において、前記インピーダンス制御手段は、前記タグ側アンテナに対し互いに並列に接続された複数のリアクタンス素子と、これら複数のリアクタンス素子にそれぞれ直列に接続された複数のヒューズと、前記外部からの入力信号に応じて、前記複数のヒューズを個別に切断可能な切断制御手段とを備えることを特徴とする。
【００１１】
複数のリアクタンス素子に直列接続した複数のヒューズを切断制御手段で個別に切断することにより、タグ側アンテナに対し互いに並列に接続されるリアクタンス素子の数を減少させ、これによってＩＣ回路部のインピーダンスを可変に設定しかつその設定を不揮発性にて保持することができる。
【００１２】
第３の発明は、上記第２発明において、前記リアクタンス素子は、キャパシタであることを特徴とする。
【００１３】
複数のリアクタンス素子としてのキャパシタに直列接続した複数のヒューズを切断制御手段で個別に切断することにより、タグ側アンテナに対し互いに並列に接続されるキャパシタの数を減少させ、これによってＩＣ回路部のインピーダンスを可変に設定しかつその設定を不揮発性にて保持することができる。また、キャパシタは容易にＩＣ回路部内に作製できる。
【００１４】
第４の発明は、上記第２又は第３発明において、前記切断制御手段は、前記外部からの入力信号に応じて制御信号を出力するタグ側第１制御手段と、このタグ側第１制御手段からの前記制御信号に応じて前記ヒューズに溶断電流を供給可能なヒューズ制御用電流印加手段とを備えることを特徴とする。
【００１５】
タグ側第１制御手段で制御信号を出力し、これに応じてヒューズ制御用電流印加手段がヒューズに溶断電流を供給して切断することにより、複数のヒューズを個別に切断することができる。
【００１６】
第５の発明は、上記第２乃至第４発明のいずれか１つにおいて、前記切断制御手段は、前記複数のヒューズのうち切断可能な箇所あるいは個数に関する情報を記憶する第１不揮発性記憶手段を備えることを特徴とする。
【００１７】
第１不揮発性記憶手段より例えばそれ以降さらに切断可能なヒューズの個数や箇所、あるいは既に切断されたヒューズの個数や箇所等の情報を取得し、過不足のない確実なインピーダンス制御を行うことができる。
【００１８】
第６の発明は、上記第１発明において、前記インピーダンス制御手段は、前記タグ側アンテナに接続されたリアクタンス素子と、前記タグ側アンテナに関し直列あるいは並列に接続された記憶スイッチ素子と、前記外部からの入力信号に応じて、前記記憶スイッチ素子を制御可能な素子制御手段とを備えることを特徴とする。
【００１９】
例えば浮遊ゲート型電界効果トランジスタの電荷量を制御して増減させる等、記憶スイッチ素子を素子制御手段で制御することにより、ＩＣ回路部のインピーダンスを可変に設定しかつその設定を不揮発性にて保持することができる。
【００２０】
第７の発明は、上記第６発明において、前記記憶スイッチ素子は、浮遊ゲート型電界効果トランジスタであることを特徴とする。
【００２１】
素子制御手段で例えば記憶スイッチ素子としての浮遊ゲート型電界効果トランジスタの電荷量を制御して増減させることにより、ＩＣ回路部のインピーダンスを可変に設定しかつその設定を不揮発性にて保持することができる。
【００２２】
第８の発明は、上記第７発明において、前記素子制御手段は、前記外部からの入力信号に応じて制御信号を出力するタグ側第２制御手段と、このタグ側第２制御手段からの前記制御信号に応じて前記浮遊ゲート型電界効果トランジスタに所定の電荷を発生可能な電荷注入手段とを備えることを特徴とする。
【００２３】
タグ側第２制御手段で制御信号を出力し、これに応じて電荷注入手段が浮遊ゲート型電界効果トランジスタに所定の電荷を発生（又は消滅）させることにより、浮遊ゲート型電界効果トランジスタの電荷量を制御することができる。
【００２４】
第９の発明は、上記第７又は第８発明において、前記素子制御手段は、前記浮遊ゲート型電界効果トランジスタの電荷量又は電荷量レベルに関する情報を記憶する第２不揮発性記憶手段を備えることを特徴とする。
【００２５】
第２不揮発性記憶手段より、例えばその時点で浮遊ゲート型電界効果トランジスタに発生しているあるいはさらに蓄積しうる電荷の量や、あるいは電荷量レベル等に関する情報を取得し、過不足のない確実なインピーダンス制御を行うことができる。
【００２６】
上記目的を達成するために、第１０の発明は、タグテープに配置され、外部からの入力信号に応じインピーダンスを可変設定しその設定状態を不揮発性にて保持するインピーダンス制御手段を有するＩＣ回路部及びこのＩＣ回路部に接続されたタグ側アンテナを備えた無線タグ回路素子との間で無線通信により情報の送受信を行う装置側アンテナと、前記ＩＣ回路部へのアクセス情報を生成し、前記装置側アンテナを介して前記無線タグ回路素子へ送信し、前記ＩＣ回路部へアクセスを行う情報アクセス手段と、この情報アクセス手段による前記アクセス情報に応じて前記無線タグ回路素子より返信された返信信号を、前記装置側アンテナを介して受信する返信信号受信手段と、この返信信号受信手段で受信された前記返信信号より、前記ＩＣ回路部のインピーダンスと前記タグ側アンテナのインピーダンスとの整合状態を判定する判定手段と、この判定手段の前記判定結果に基づき、前記無線タグ回路素子の前記ＩＣ回路部の前記インピーダンス制御手段へインピーダンス設定用の制御信号を出力するインピーダンス制御信号出力手段とを有することを特徴とする。
【００２７】
タグラベル作成装置においては、タグテープに備えられた無線タグ回路素子に対し、情報アクセス手段で生成されたアクセス情報が装置側アンテナを介して送信されてＩＣ回路部へのアクセス（読み取り又は書き込み）が行われ、このように情報読み取り又は書き込みが行われた後の無線タグ回路素子付きタグテープを用いてタグラベルが作成される。
【００２８】
ここで、本願第１０発明においては、例えば上記ＩＣ回路部へのアクセスの前にインピーダンス整合のために情報アクセス手段からの上記アクセス情報を装置側アンテナを介し無線タグ回路素子へ送信し、これに応じて無線タグ回路素子より返信された返信信号を装置側アンテナを介して返信信号受信手段で受信する。そしてこの返信信号に基づき、判定手段が無線タグ回路素子のＩＣ回路部とタグ側アンテナとのインピーダンスの整合状態を判定し、さらにその判定結果に基づき、インピーダンス設定用の制御信号が無線タグ回路素子のインピーダンス制御手段へ出力され、ＩＣ回路部のインピーダンスが可変に設定される。これにより、無線タグ回路素子のＩＣ回路部とタグ側アンテナとのインピーダンスを整合させることができる。
【００２９】
また、通常、タグラベル作成装置ではアクセス時の装置側アンテナと無線タグ回路素子との距離は比較的短くなっていることから、上記のようにして、タグラベル作成装置におけるＩＣ回路部へのアクセスに用いる装置側アンテナを利用してインピーダンス整合のための信号送信を行うことで、比較的強い信号強度で無線タグ回路素子へ信号を届かせインピーダンス制御手段へ電力を供給することができ、確実にインピーダンス整合を実行することができる。またこのとき、インピーダンス制御手段は設定したインピーダンスを不揮発性にて保持することにより、いったんインピーダンス整合設定した後は、特に整合用の駆動電源等をさらに発生させなくても、確実に当該良好なインピーダンス整合状態を維持できる。以上の結果、ラベル作成後のユーザ使用時において、無線タグ回路素子のアンテナとＩＣ回路部との良好なインピーダンス整合状態を常に実現できるので、長距離通信を確実に行うことができる。
【００３０】
第１１の発明は、上記第１０発明において、前記判定手段は、前記情報アクセス手段が所定の信号強度で前記無線タグ回路素子への送信を行い、これに対する前記返信信号が前記返信信号受信手段で受信されたとき、前記前記ＩＣ回路部のインピーダンスと前記タグ側アンテナのインピーダンスとの整合完了状態と判定することを特徴とする。
【００３１】
例えば十分に小さい所定の信号強度で無線タグ回路素子への送信を行ってもこれに対応する返信信号が返信信号受信手段で受信できた場合には、タグ側アンテナで受信した所定の信号強度の電波が効率よく無線タグ回路素子の電力発生手段に供給され、回路の動作に必要な十分な電力を発生でき、装置側アンテナと無線タグ回路素子との間で良好な通信状態が実現されていることがわかる。したがって、判定手段ではＩＣ回路部とタグ側アンテナとでインピーダンスが良好に整合されていると見なし、整合完了状態と判定することができる。
【００３２】
第１２の発明は、上記第１０発明において、前記返信信号受信手段で受信された前記返信信号の信号強度を検出する信号強度検出手段を有し、前記判定手段は、前記情報アクセス手段が所定の信号強度で前記無線タグ回路素子への送信を行い、前記信号強度検出手段で検出された前記返信信号の信号強度が所定のしきい値以上となったとき、前記前記ＩＣ回路部のインピーダンスと前記タグ側アンテナのインピーダンスとの整合完了状態と判定することを特徴とする。
【００３３】
例えばある定まった所定の信号強度で無線タグ回路素子への送信を行い、これに対応して返信信号受信手段で受信した返答信号が比較的大きく所定のしきい値以上となる場合には、装置側アンテナと無線タグ回路素子との間で良好な通信状態が実現されていることがわかる。したがって、判定手段ではＩＣ回路部とタグ側アンテナとでインピーダンスが良好に整合されていると見なし、整合完了状態と判定することができる。
【００３４】
第１３の発明は、上記第１０乃至第１２発明のいずれか１つにおいて、前記タグテープを繰り出すための駆動手段と、前記タグテープの所定領域に印字を行う印字手段とを有することを特徴とする。
【００３５】
駆動手段でタグテープを繰り出すことにより無線タグ回路素子に順次アクセスを行うことができ、また印字手段でタグテープの所定領域に印字を行うことにより印字済みタグテープを生成することができ、これを用いて印字付き無線タグラベルを作成することができる。
【００３６】
第１４の発明は、上記第１３発明において、前記タグテープの繰り出しが停止したときに前記判定及びこれに応じた前記インピーダンス設定用の制御信号の出力を行うように、前記駆動手段、前記判定手段、及び前記インピーダンス制御信号出力手段を制御する装置側第１制御手段を有することを特徴とする。
【００３７】
これにより、タグテープの繰り出しが停止し、タグテープ上の無線タグ回路素子と装置側アンテナとの位置関係及び距離が固定された状態で安定的にインピーダンス整合制御を行うことができる。
【００３８】
第１５の発明は、上記第１３発明において、前記タグテープの所定領域への印字が開始される前に前記判定及びこれに応じた前記インピーダンス設定用の制御信号の出力を行うように、前記印字手段、前記判定手段、及び前記インピーダンス制御信号出力手段を制御する装置側第２制御手段を有することを特徴とする。
【００３９】
これにより、例えばインピーダンス整合制御を行った後に、無線タグ回路素子へのアクセス及びタグテープ所定領域への印字を行い、印字付き無線タグラベルを作成することができる。
【００４０】
第１６の発明は、上記第１３発明において、前記タグテープの所定領域への印字が完了した後に前記判定及びこれに応じた前記インピーダンス設定用の制御信号の出力を行うように、前記印字手段、前記判定手段、及び前記インピーダンス制御信号出力手段を制御する装置側第３制御手段を有することを特徴とする。
【００４１】
これにより、例えば先にタグテープ所定領域への印字を行った後にインピーダンス整合制御を行い、さらにその後に無線タグ回路素子へのアクセスを行って、印字付き無線タグラベルを作成することができる。
【発明の効果】
【００４２】
本発明によれば、アンテナとＩＣ回路部との良好なインピーダンス整合状態を実現でき、長距離通信を確実に行うことができる。
【発明を実施するための最良の形態】
【００４３】
以下、本発明の一実施の形態を図面を参照しつつ説明する。
【００４４】
図１は、本実施形態のタグラベル作成装置が適用される無線タグ生成システムを表すシステム構成図である。
【００４５】
図１に示すこの無線タグ生成システム１において、本実施形態によるタグラベル作成装置２は、有線あるいは無線による通信回線３を介してルートサーバ４、端末５、汎用コンピュータ６、及び複数の情報サーバ７に接続されている。
【００４６】
図２は、上記タグラベル作成装置２の詳細構造を表す概念的構成図である。
【００４７】
図２において、タグラベル作成装置２の装置本体８には、凹所としてのカートリッジホルダ部（図示せず）が設けられ、このホルダ部に、カートリッジ（無線タグ回路素子カートリッジ）１００が着脱可能に取り付けられている。
【００４８】
装置本体８は、第２ロール１０４から繰り出されるカバーフィルム１０３に所定の印字（印刷）を行う印字ヘッド（サーマルヘッド、印字手段）１０と、カバーフィルム１０３への印字が終了したインクリボン１０５を駆動するリボン巻取りローラ駆動軸１１と、カバーフィルム１０３と第１ロール１０２から繰り出される基材テープ（タグテープ）１０１とを貼り合わせつつ印字済タグラベル用テープ１１０としてカートリッジ１００から繰り出すための圧着ローラ駆動軸１２（駆動手段）と、基材テープ１０１に備えられる無線タグ回路素子Ｔo（詳細は後述）との間でＵＨＦ帯等の高周波を用いて無線通信により信号の送受を行うアンテナ（装置側アンテナ）１４と、上記印字済タグラベル用テープ１１０を所定のタイミングで所定の長さに切断しラベル状の無線タグラベルＴ（詳細は後述）を生成するカッタ１５と、無線タグラベルＴを搬出口１６へと搬送し送出する送出ローラ１７と、上記搬出口１６における無線タグラベルＴの有無を検出するセンサ１８と、それらを収納するように外郭を構成し、カートリッジ１００を着脱可能に嵌合させる上記カートリッジホルダ部及び上記搬出口１６を備える筐体９とを有する。
【００４９】
アンテナ１４は、一方側（この例では図２の紙面に向かって手前側）に指向性を備えた指向性アンテナ（この例ではいわゆるパッチアンテナ）で構成されるとともに上記第１ロール１０２の軸方向（図２の紙面に向かって奥側）近傍に配置されており、第１ロール１０２の基材テープ１０１の送り出し部分近傍領域Ｘと通信可能となるように配置されている。
【００５０】
一方、装置本体８はまた、上記アンテナ１４を介し上記無線タグ回路素子Ｔoへアクセス（書き込み又は読み取り）を行うための高周波回路２１と、無線タグ回路素子Ｔoから読み出された信号を処理するための信号処理回路２２と、前述したリボン巻取りローラ駆動軸１１、圧着ローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００５１】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線に接続され、この通信回線に接続された前述のルートサーバ４、他の端末５、汎用コンピュータ６、及び情報サーバ７等との間で情報のやりとりが可能となっている。
【００５２】
図３は、上記カートリッジ１００の詳細構造を説明するための説明図である。
【００５３】
この図３において、カートリッジ１００は、筐体１００Ａと、この筐体１００Ａ内に配置され帯状の上記基材テープ１０１が巻回された上記第１ロール１０２と、上記基材テープ１０１と略同じ幅である透明な上記カバーフィルム１０３が巻回された上記第２ロール１０４と、上記インクリボン１０５（熱転写リボン、但しカバーフィルムが感熱テープで構成される場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープとしつつ矢印Ａで示す方向にテープ送りをする（＝テープ送りローラとしても機能する）圧着ローラ１０７とを有する。
【００５４】
第１ロール１０２は、リール部材１０２ａの周りに、長手方向に複数の無線タグ回路素子Ｔoが所定の等間隔で順次配設された上記基材テープ１０１を巻回している。
【００５５】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００５６】
ベースフィルム１０１ｂの裏側（図３中左側）には、情報の送受信を行うアンテナ（タグ側アンテナ）１５２が一体的に設けられており、これに接続するように情報を更新可能に（書き換え可能rewritableに）記憶するＩＣ回路部１５１が形成され、これらによって無線タグ回路素子Ｔoが構成されている。
【００５７】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００５８】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール１１１及び上記リボン巻取りローラ１０６で駆動されるリボン１０５が、上記印字ヘッド１０に押圧されることで当該カバーフィルム１０３の裏面に当接させられるようになっている。
【００５９】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記圧着ローラ駆動軸１２に伝達されることによって回転駆動される。
【００６０】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が上記印字ヘッド１０に押圧されて当該カバーフィルム１０３の裏面に当接させられる。
【００６１】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述の圧着ローラ駆動軸１２と上記サブローラ１０９及びプラテンローラ１０８はギヤ（図示せず）にて連結されており、圧着ローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図７参照）が印刷される。そして、上記基材テープ１０１と上記印刷が終了したカバーフィルム１０３とが上記圧着ローラ１０７及びサブローラ１０９により接着されて一体化され、印字済タグラベル用テープとして形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。また、第１ロール１０２の繰り出し近傍にはガイドローラ１２０が設けられており、第１ロール１０２の残量により外径が変化しても装置側のアンテナ１４と無線タグラベルＴの位置関係が所定の範囲となるように規制して、無線タグ回路素子Ｔoとの通信条件を一定に保つようになっている。
【００６２】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００６３】
送信部３２は、無線タグ回路素子ＴoのＩＣ回路部１５１の無線タグ情報にアクセスする(書き込み又は読み取りを行う)ための搬送波を発生させる水晶振動子３５、ＰＬＬ（Phase
Locked Loop）３６、及びＶＣＯ（Voltage Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路３０からの「ＴＸ＿ＰＷＲ」信号によって増幅率を決定し増幅する可変送信アンプ３９とを備えている。そして、上記発生される搬送波は、好適にはＵＨＦ帯やマイクロ波帯の周波数を用いており、上記送信アンプ３９の出力は、送受分離器３４を介してアンテナ１４のいずれかに伝達されて無線タグ回路素子ＴoのＩＣ回路部１５１に供給される。なお、無線タグ情報は上記のように変調した信号に限られず、単なる搬送波のみの場合もある。
【００６４】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に位相が９０°遅れた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００６５】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態のタグラベル作成装置２では、Ｉ−Ｑ直交復調によって無線タグ回路素子Ｔoからの反射波の復調が行われる。
【００６６】
図５は、上記無線タグ回路素子Ｔoの機能的構成を表す機能ブロック図である。この図５において、無線タグ回路素子Ｔoは、タグラベル作成装置２側のアンテナ１４とＵＨＦ帯等の高周波を用いて非接触で信号の送受信を行う上記アンテナ１５２（タグ側アンテナ）と、このアンテナ１５２に接続された上記ＩＣ回路部１５１とを有している。
【００６７】
ＩＣ回路部１５１は、アンテナ１５２に対し互いに並列に接続された複数（この例では４個）の切断可能なキャパシタＣ１，Ｃ２，Ｃ３，Ｃ４（リアクタンス素子）及び切断不能なキャパシタＣ０と、それら複数のキャパシタＣ１，Ｃ２，Ｃ３，Ｃ４に（詳細には両端の端子側に）それぞれ直列に接続された複数（この例では４組×各組２個＝８個）のヒューズＦ１１，Ｆ１２、ヒューズＦ２１，Ｆ２２、ヒューズＦ３１，Ｆ３２、ヒューズＦ４１，Ｆ４２と、外部からの入力信号に応じて制御信号を出力する制御回路・メモリ１５５（タグ側第１制御手段）と、この制御回路・メモリ１５５からの上記制御信号に応じたゲート電圧で上記ヒューズＦ１１，Ｆ１２，Ｆ２１，Ｆ２２，Ｆ３１，Ｆ３２，Ｆ４１，Ｆ４２にそれぞれ溶断電流を供給可能なＦＥＴ（＝電界効果トランジスタ、ヒューズ制御用電流印加手段）ｔ１１，ｔ１２，ｔ２１，ｔ２２，ｔ３１，ｔ３２，ｔ４１，ｔ４２と、アンテナ１５２により受信された搬送波を整流する整流回路１５３と、上記アンテナ１５２に接続された変復調回路１５８と、上記整流回路１５３により整流された搬送波のエネルギを蓄積しＩＣ回路部１５１の駆動電源とするための電源回路（制御回路・メモリ１５５内）と、上記アンテナ１５２により受信された搬送波からクロック信号を抽出して上記制御回路・メモリ１５５に供給するクロック抽出部（図示せず）とを有している。なお、ＩＣ回路部１５１とアンテナ１５２との間には、アンテナ１５２に対しそれぞれ直列に接続された２つのコイル（但し配線パターンによってコイル機能を持たせるようにしても良い）Ｌ１，Ｌ２が設けられている。但しこのコイルＬ１，Ｌ２はＩＣ回路部１５１内に内蔵させても良い。
【００６８】
制御回路・メモリ１５５は、無線タグ回路素子Ｔoの作動を制御するとともに所定の情報信号を記憶し得る機能を備えたものであり、この例では、上記４個のキャパシタＣ１〜Ｃ４のうち切断可能な個数（言い換えれば４組８個のヒューズＦ１１，Ｆ１２、ヒューズＦ２１，Ｆ２２、ヒューズＦ３１，Ｆ３２、ヒューズＦ４１，Ｆ４２のうち切断可能なものが何組残っているか。各組ごとに同時に切断される）に関する情報を記憶する（第１不揮発性記憶手段、詳細は後述）。もちろん、切断可能な個数ではなく、切断された組、あるいは未切断の組を示す切断箇所情報あるいは未切断箇所情報を記憶しても良い。また制御回路・メモリ１５５は、上記変復調回路１５８により復調された受信信号を解釈するとともに、前述のように記憶された情報信号に基づいて返信信号を生成し、上記変復調回路１５８により返信する制御等の基本的な制御を実行する。
【００６９】
変復調回路１５８は、アンテナ１５２により受信された上記タグラベル作成装置２のアンテナ１４からの通信信号の復調を行うと共に、上記制御回路・メモリ１５５からの応答信号に基づき、アンテナ１５２より受信された搬送波を変調反射する。
【００７０】
ＦＥＴｔ１１〜ｔ４２は、上記整流回路１５３で取得され制御回路・メモリ１５５内でチャージされた電流を、対応するヒューズＦ１１〜Ｆ４２にそれぞれ流すようになっている。
【００７１】
キャパシタＣ１，Ｃ２，Ｃ３，Ｃ４は、この例では、それぞれ互いの容量が等しくなっている。
【００７２】
図６（ａ）及び図６（ｂ）は、上述のようにして無線タグ回路素子Ｔoの情報書き込み及び印字済タグラベル用テープ１１０の切断が完了し形成された無線タグラベルＴの外観の一例を表す図であり、図６（ａ）は上面図、図６（ｂ）は下面図である。また図７は、図６中VII−VII′断面による横断面図である。
【００７３】
これら図６（ａ）、図６（ｂ）、及び図７において、無線タグラベルＴは、図３に示した４層構造にカバーフィルム１０３が加わった５層構造となっており、カバーフィルム１０３側（図７中上側）よりその反対側（図７中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００７４】
図８は、上述したようなタグラベル作成装置２による無線タグ回路素子ＴoのＩＣ回路部１５１の無線タグ情報へのアクセス(書き込み又は読み取り)に際して、上記した端末５又は汎用コンピュータ６に表示される画面の一例を表す図である。
【００７５】
図８において、この例では、タグラベルの種別（アクセス周波数及びテープ寸法）、無線タグ回路素子Ｔoに対応して印刷された印字文字Ｒ、その無線タグ回路素子Ｔoに固有のＩＤであるアクセス（書き込み又は読み取り）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作によりタグラベル作成装置２が作動されて、カバーフィルム１０３に上記印字文字Ｒが印刷されると共に、後述するようにＩＣ回路部１５１に上記書き込みＩＤ及び物品情報等の情報が書き込まれる（又はＩＣ回路部１５１に予め記憶された物品情報等の無線タグ情報が読みとられる）。
【００７６】
上記のような書き込み（又は読み取り）の際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００７７】
ここで、本実施形態のタグラベル作成装置２の最も大きな特徴は、無線タグラベル作成の際に、ＩＣ回路部１５１内に備えられたヒューズＦ１１〜Ｆ４２を用いてキャパシタＣ１〜Ｃ４を（予め定められた）所定の順序にて切断することにより、インピーダンス整合を実行し、かつ非揮発性をもってその設定を保持することにある。以下、その内容を順次詳細に説明する。
【００７８】
図９は、上記制御回路３０によって実行される制御手順を表すフローチャートである。
【００７９】
この図９において、タグラベル作成装置２の書き込み（又は読み取り）操作が行われるとこのフローが開始される。まずステップＳ１０において、上記端末５又は汎用コンピュータ６を介して入力操作された、アンテナ１４より無線タグ回路素子ＴoのＩＣ回路部１５１へ書き込むべき無線タグ情報と、印字ヘッド１０により無線タグラベルＴへ印字すべき印字情報とが、通信回線３及び入出力インターフェイス３１を介し読み込まれる。
【００８０】
その後、ステップＳ１５に移り、無線タグ回路素子Ｔｏからの応答がなく、リトライ（再試行）を行った回数をカウントする変数Ｎ、及び通信良好か不良かを表すフラグＦを０に初期化する。
【００８１】
次に、ステップＳ１６において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給されるとともに、第２ロール１０４からはカバーフィルム１０３が繰り出される。さらに送出ローラ駆動回路２９を介して送出ローラ用モータ２８に制御信号を出力し、送出ローラ１７を回転駆動させる。以上の結果、前述したように基材テープ１０１と（後述のように印刷が終了した）カバーフィルム１０３とが上記圧着ローラ１０７及びサブローラ１０９により接着されて一体化され、印字済タグラベル用テープ１１０としてカートリッジ体１００外方向へと搬送されていくように、各テープ１０１，１０３，１１０が駆動開始される。
【００８２】
その後、ステップＳ１７に移り、基材テープ１０１が所定位置（無線タグ回路素子Ｔoがアンテナ１４に正対する位置）にまで搬送されたかどうかを判定する。具体的には、例えば、基材テープ１０１（詳細には例えば剥離紙１０１ｄ、あるいはカバーフィルム１０３等でもよい）に対し各無線タグ回路素子Ｔoに対応して設けた適宜の識別用マークをカートリッジ１００外（例えばカッタ１５のさらに搬送方向下流側）に設けた公知のテープセンサで検出することにより行えば足りる。
【００８３】
判定が満たさされたらステップＳ１８に移って、カートリッジ駆動回路２４に制御信号を出力してリボン巻取りローラ１０６及び圧着ローラ１０７の回転駆動を停止するとともに、送出ローラ駆動回路２９を介して送出ローラ用モータ２８に制御信号を出力し送出ローラ１７の回転駆動を停止し、テープ搬送を停止させる。
【００８４】
その後、ステップＳ２００において、無線タグ回路素子Ｔoのアンテナ１５２とＩＣ回路部１５１とのインピーダンス整合処理を実施する（詳細は後述する図１０参照）。
【００８５】
そして、ステップＳ２０に移り、カートリッジ駆動回路２４に制御信号を出力して再びリボン巻取りローラ１０６及び圧着ローラ１０７を回転駆動させるとともに、送出ローラ駆動回路２９を介して送出ローラ用モータ２８に制御信号を出力し、送出ローラ１７を再び回転駆動させ、テープ駆動を再開する。
【００８６】
その後、ステップＳ３０において、無線タグ情報を無線タグ回路素子Ｔoに送信し書き込む書き込み処理を行う（詳細は後述の図１１を参照）。
【００８７】
そして、ステップＳ３５に移り、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、ステップＳ１０で読み込んだ文字、記号、バーコード等の印字Ｒを印刷させる。ステップＳ３５が終了すると、ステップＳ３９に移る。
【００８８】
ステップＳ３９では、フラグＦ＝０であるかどうかが判定される。書き込み処理が正常に完了していればＦ＝０のまま（後述の図１１に示すフローのステップＳ３８Ａ参照）であるので、この判定が満たされ、ステップＳ４０に移る。一方、何らかの理由で書き込み処理が正常に完了していない場合はＦ＝１とされている（後述の図１１に示すフローのステップＳ３８Ａ参照）のでこの判定が満たされず、ステップＳ４５に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、後述のステップＳ６０へ移る。
【００８９】
ステップＳ４０では、上記ステップＳ３０で無線タグ回路素子Ｔoへ書き込んだ無線タグ情報と、これに対応して印字ヘッド１０により印字された印字情報との組み合わせが、入出力インターフェイス３１及び通信回線３を介し端末５又は汎用コンピュータ６を介して出力され、情報サーバ７やルートサーバ４に記憶される。なお、この記憶データは必要に応じて端末５又は汎用コンピュータ６より参照可能に例えばデータベース内に格納保持される。
【００９０】
その後、ステップＳ５０で、カバーフィルム１０３のうちこの時点で処理対象としている無線タグ回路素子Ｔoに対応する領域への印字がすべて完了しているかどうかを確認した後、ステップＳ６０へ移る。
【００９１】
ステップＳ６０では、印字済タグラベル用テープ１１０がカッタ１５で切断されるべき所定位置にまで搬送されたかどうかを判定する。具体的には、例えば、対象とする無線タグ回路素子Ｔo及びこれに対応するカバーフィルム１０３の印字領域のすべてがカッタ１５を所定の長さ(余白量)分だけ越えたかどうかを、基材テープ１０１（詳細には例えば剥離紙１０１ｄ、あるいはカバーフィルム１０３等でもよい）に対し各無線タグ回路素子Ｔoに対応して設けた適宜の識別用マークをカートリッジ１００外（例えばカッタ１５のさらに搬送方向下流側）に設けた公知のテープセンサで検出することにより行えば足りる。またこのような検出を行わず、印字Ｒの印字文字長に所定の余白領域分を加えた長さが無線タグ回路素子Ｔoの全長を超えているかどうかを印字情報に基づき判定する（超えていれば、少なくともカバーフィルム１０３の印字が完了した段階でその余白領域外をカッタ１５で切断するようにすれば、貼り合わせられる無線タグ回路素子Ｔoを切断することは回避できるため）ことで代用してもよい。
【００９２】
上記ステップＳ６０の判定が満たされたら、ステップＳ７０に移る。ステップＳ７０では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【００９３】
次のステップＳ８０では、ソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応するカバーフィルム１０３の印字領域のすべてがカッタ１５を十分に越えており、このカッタ１５の切断によって、無線タグ回路素子Ｔoの無線タグ情報が読み取られかつこれに対応する所定の印字が行われたラベル状の無線タグラベルＴが生成される。
【００９４】
その後、ステップＳ９０に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１５０でラベル状に生成された無線タグラベルＴが搬出口１６へ向かって搬送され、搬出口１６から装置２外へと排出される。
【００９５】
そして最後に、ステップＳ１００で、カートリッジ１００内の通信範囲（前述の領域Ｘ）に残存する無線タグラベル回路素子Ｔoに備えられたＩＣ回路部１５１の全無線タグ情報を消去（初期化）する。詳細には、無線タグ回路素子Ｔoのメモリ部１５７に記憶された情報を初期化する「Erase」コマンドを信号処理回路２２に出力する。これに基づき信号処理回路２２で無線タグ情報としての「Erase」信号が生成されて高周波回路２１の送信部３２及びアンテナ１４を介し通信範囲（上記領域Ｘ）内の全無線タグ回路素子Ｔoに送信され、そのメモリ部１５７を初期化する。
【００９６】
図１０は、上記ステップＳ２００の詳細手順を表すフローチャートである。
【００９７】
図１０において、図９における前述のステップＳ１８が終了すると、まずステップＳ２０５に移り、高周波回路２１の送信部３２に備えられる前記可変送信アンプ３９に「ＴＸ＿ＰＷＲ」信号を出力し、送信部３２の無線タグ回路素子Ｔoに対するアクセスパワー（出力電力量）値を（この装置２が許容する範囲内における、あるいは予め設定された電力範囲内のうちで）最大値に設定する。
【００９８】
その後、ステップＳ２１０に移り、通信範囲内に存在する無線タグ回路素子Ｔoの存在を探知するとともにその応答を求める（言い換えればインピーダンスマッチングの予告を行う）ための「マッチング」コマンドを信号処理回路２２に出力する。これに基づき信号処理回路２２で所定のマッチング信号（＝この例では問いかけ信号、例えば「Scroll All ID」信号や「Ping」信号等のアクセス情報信号）が生成されて高周波回路２１を介して通信範囲内に存在する対象の無線タグ回路素子Ｔoに送信され、対象の無線タグ回路素子のIDを識別する。複数の無線タグ回路素子Ｔoが応答した場合は、所定のID(例えば、ID番号が最小または最大など)を有する無線タグ回路素子をマッチングの対象とする。この対象となるタグ回路素子に対してマッチングコマンドを送信し、返信を促す。
【００９９】
そして、ステップＳ２１５において、上記マッチング信号に対応して対象の無線タグ回路素子Ｔoから送信されたリプライ信号（例えばタグＩＤ情報等を含む無線タグ情報）をアンテナ１４を介して受信し、高周波回路２１及び信号処理回路２２を介し取り込む。そしてその取り込み結果より、無線タグ回路素子Ｔoから正しい応答信号が受信されたかどうかを判定する。応答信号が受信されていない場合は判定が満たされず、ステップＳ２２０に移り、所定のエラー処理を行う。例えばエラー表示信号を入出力インターフェイス３１及び通信回線３を介し上記端末５又は汎用コンピュータ６へ出力し、対応するエラー表示（対象タグなし）を行わせ、このフローを終了する。なお、対象となる無線タグ回路素子がインピーダンスマッチング処理に対応できない場合も正しい応答信号は受信されない(マッチングコマンドを認識できない無線タグ回路素子では、コマンドは無視されリプライ信号を送信しない、あるいは、コマンドに対し、対処不能という正しくない応答信号を送信する)ので、ステップ２２０に移る。
【０１００】
無線タグ回路素子Ｔoより正しい応答信号が受信された場合は判定が満たされ、ステップＳ２２５に移る。ステップＳ２２５では、高周波回路２１の送信部３２に備えられる前記可変送信アンプ３９に「ＴＸ＿ＰＷＲ」信号を出力し、送信部３２の無線タグ回路素子Ｔoに対するアクセスパワー（出力電力量）値を（この装置２が許容する範囲内における、あるいは予め設定された電力範囲内のうちで）最小値に設定する。
【０１０１】
その後、ステップＳ２３０に移り、応答してきた（＝通信範囲内に存在することが確認された）無線タグ回路素子Ｔoに対しその応答を求める（言い換えれば現在のインピーダンスの整合の程度を検出する）ための「起動」コマンドを信号処理回路２２に出力する。これに基づき信号処理回路２２で所定の起動信号（＝この例では問いかけ信号、例えば「Scroll All ID」信号や「Ping」信号等のアクセス情報信号）が生成されて高周波回路２１を介してインピーダンスマッチング対象の無線タグ回路素子Ｔoに送信され、返信を促す。
【０１０２】
そして、ステップＳ２３５において、上記起動信号に対応して対象の無線タグ回路素子Ｔoから送信されたリプライ信号（例えばタグＩＤ情報等を含む無線タグ情報）をアンテナ１４を介して受信し、高周波回路２１及び信号処理回路２２を介し取り込む。そしてその取り込み結果より、無線タグ回路素子Ｔoから正しい応答信号が受信されたかどうかを判定する。応答信号が受信されていない場合はインピーダンス整合が十分にとれていない（そのため受信感度が低い）とみなされて判定が満たされず、ステップＳ２４０に移る。
【０１０３】
ステップＳ２４０では、上記ステップＳ２０５と同様、高周波回路２１の送信部３２に備えられる前記可変送信アンプ３９に「ＴＸ＿ＰＷＲ」信号を出力し、送信部３２の無線タグ回路素子Ｔoに対するアクセスパワー（出力電力量）値を最大値に設定する。
【０１０４】
そしてステップＳ２４５において、無線タグ回路素子Ｔoに（予め比較的多めに）複数個（この例では４個）設けられたキャパシタＣ１〜Ｃ４を所定数ずつ（この例では１つずつ）切断するための「キャパシタ切断」コマンドを信号処理回路２２に出力する。これに基づき信号処理回路２２で所定のキャパシタ切断信号が生成されて高周波回路２１を介して通信範囲内に存在する対象の無線タグ回路素子Ｔoに送信され、当該無線タグ回路素子Ｔoの制御回路・メモリ１５５に取り込まれる。
【０１０５】
そして、ステップＳ２５０において、上記キャパシタ切断信号に対応して対象の無線タグ回路素子Ｔoから送信された応答信号をアンテナ１４を介して受信し、高周波回路２１及び信号処理回路２２を介し取り込む。そしてその取り込み結果より、無線タグ回路素子Ｔoから正しい切断応答信号（＝キャパシタ切断信号に応じて対応する１つのキャパシタＣ１〜Ｃ４に係るヒューズＦ１１〜Ｆ４２の組を切断した旨の信号。詳細は後述）が受信されたかどうかを判定する。切断応答信号が受信された場合は判定が満たされ、ステップＳ２２５に戻って再び送信出力を最小値にし、以降同様の手順を繰り返す。このようにして送信電力最小値において無線タグ回路素子Ｔoによる起動応答信号が受信されない間はステップＳ２２５→ステップＳ２３０→ステップＳ２３５→ステップＳ２４０→ステップＳ２４５→ステップＳ２５０→ステップＳ２２５を繰り返しステップＳ２４５にてキャパシタ切断信号によりその都度無線タグ回路素子ＴoのＩＣ回路部１５１のキャパシタＣ１〜Ｃ４に係るヒューズＦ１１〜Ｆ４２が１組ずつ切断され（詳細は後述）、これによってキャパシタＣ１〜Ｃ４の静電容量が変化し入力インピーダンスが順次変化（減少）していく（すなわちこの例では容量成分を減少させることでマッチングをとる）。
【０１０６】
このような繰り返しにより入力インピーダンスが減少して徐々に感度が増大し、起動応答信号が受信されるようになると、インピーダンス整合が十分にとれた（そのため受信感度が高くなった）とみなされてステップＳ２３５の判定が満たされ、ステップＳ２６５に移る。
【０１０７】
ステップＳ２６５では、高周波回路２１の送信部３２に備えられる前記可変送信アンプ３９に「ＴＸ＿ＰＷＲ」信号を出力し、送信部３２の無線タグ回路素子Ｔoに対するアクセスパワー（出力電力量）値を、装置２において無線タグラベル作成時のＩＣ回路部１５１への情報書き込み用に予め最適に設定された値に設定し、図９のステップＳ２０へと戻る。
【０１０８】
一方、上記のようにステップＳ２２５→ステップＳ２３０→ステップＳ２３５→ステップＳ２４０→ステップＳ２４５→ステップＳ２５０→ステップＳ２２５を繰り返しヒューズＦ１１〜Ｆ４２が１組ずつ切断され入力インピーダンスが減少して徐々に感度が増大しても、起動応答信号が受信されず、ついに切断するヒューズＦ４１〜Ｆ４２の組がなくなって切断応答信号が受信されなくなった場合には、ステップＳ２５０の判定が満たされず、ステップＳ２５５へ移る。
【０１０９】
ステップＳ２５５では、上記のように感度を大きく増大させても起動応答信号が受信されなかったことに対応し、当該無線タグ回路素子Ｔoがタグラベル作成装置２によるインピーダンスマッチング範囲を超えて感度が非常に小さかった旨のエラー表示信号を入出力インターフェイス３１及び通信回線３を介し上記端末５又は汎用コンピュータ６へ出力し、対応する低感度表示を行わせ、ステップＳ２６０へ移る。
【０１１０】
ステップＳ２６０では、操作者よりタグラベル作成の旨の操作指示信号が入出力インターフェイス３１及び通信回線３を介し例えば端末５から入力されたかどうかを判定する。上記ステップＳ２５５において端末５又は汎用コンピュータ６において上記低感度表示をした場合でも、それを承知の上で操作者がタグラベル作成の指示をした場合（すなわち近距離通信しか使用できないことを操作者が承知している場合）は判定が満たされ、上記ステップＳ２６５へ移り、前述と同様、アクセスパワー（出力電力量）値を無線タグラベル作成時の情報書き込み用の値に設定し、図９のステップＳ２０へと戻る。操作者がタグラベル作成の指示をしなかった場合（低感度なのであきらめる場合等）は、前述のステップＳ２２０に移り所定のエラー処理（例えば、感度が低くタグラベル作成を行いません等のエラー表示）を行わせ、このフローを終了する。なおエラー処理としては、そのほか、情報書き込み又は読み取りを行わずに無線タグ回路素子Ｔoを排出するようにしてもよい。
【０１１１】
図１１は、上記ステップＳ３０の詳細手順を表すフローチャートである。
【０１１２】
図１１において、図９における前述のステップＳ２０が終了すると、まずステップＳ３１に移り、所望のデータをメモリ部１５７に書き込む「Program」コマンドを信号処理回路２２に出力する。これに基づき信号処理回路２２で例えばＩＤ情報を含む無線タグ情報としての「Program」信号が生成されて高周波回路２１の送信部３２及びアンテナ１４を介して通信可能エリア内（前述の領域Ｘ内）にあるすべての無線タグ回路素子Ｔoに送信され、そのメモリ部１５７に情報が書き込まれる。
【０１１３】
その後、ステップＳ３２において、メモリ部１５７の内容を確認する「Verify」コマンドを信号処理回路２２に出力する。これに基づき信号処理回路２２で無線タグ情報としての「Verify」信号が生成されて高周波回路２１の送信部３２及びアンテナ１４を介して上記通信可能エリア内の全無線タグ回路素子Ｔoに送信され、返信を促す。
【０１１４】
そして、ステップＳ３３に移り、上記「Verify」信号に対応して上記通信可能エリア内の全無線タグ回路素子Ｔoから送信（返信）されたリプライ（応答）信号をアンテナ１４を介して受信し、高周波回路２１の受信部３３及び信号処理回路２２を介し取り込む。
【０１１５】
次に、ステップＳ３４において、上記ステップＳ３３の受信結果に基づき、上記通信エリア内の全無線タグ回路素子Ｔoのうち、少なくとも１つから何らかの有効なリプライ信号（メモリ部１５７に正常に記憶されたことを表す信号）が受信されたかどうかを判定する。
【０１１６】
判定が満たされたら、上記領域Ｘ内の少なくとも１つの無線タグ回路素子Ｔoには正しく書き込まれており、領域Ｘ内の全無線タグ回路素子Ｔoへの書き込み失敗は回避されていることから、このルーチンを終了する。判定が満たされない場合はステップＳ３６に移ってＮに１を加え、さらにステップＳ３７においてＮ＝５かどうかが判定される。Ｎ≦４の場合は判定が満たされずステップＳ３１に戻り同様の手順を繰り返す。Ｎ＝５の場合はステップＳ３８に移る。ステップＳ３８では、エラー表示信号を入出力インターフェイス３１及び通信回線３を介し上記端末５又は汎用コンピュータ６へ出力し、対応する書き込み失敗（エラー）表示を行わせた後、ステップＳ３８ＡでフラグＦ＝１としてこのルーチンを終了する。このように、情報書き込みが不調でも５回までは再試行が行われることにより、書き込み信頼性の確保上、万全を期すことができる。
【０１１７】
また、インピーダンスマッチング処理において、マッチング処理する対象の無線タグ回路素子Ｔoが識別されているので、その無線タグ回路素子Ｔoのみを指定してステップ３０の書き込み処理を行っても良い。書き込み処理は図１１と同様であり、この場合、書き込み処理の対象が1つの無線タグ回路素子Ｔoに限定されるので、安定した書き込み処理を行うことができる。さらに、図９のステップ１００は不要となる。
なお、以上は、無線タグ回路素子Ｔoに対し無線タグ情報を送信しＩＣ回路部１５１に書き込みを行う場合を説明したが、これに限られず、予め所定の無線タグ情報（タグ識別情報等）が書き換え不可に記憶保持されている読み取り専用の無線タグ回路素子Ｔoから無線タグ情報を読み取りながら、これに対応する印字を行って無線タグラベルＴを作成する場合がある。
【０１１８】
この場合には、図９におけるステップＳ１０において印字情報のみを読み込み、ステップＳ３０で無線タグ情報の読み込み処理を行うようにすればよい（詳細は後述の図１２参照）。その後ステップＳ４０では印字情報とその読み込んだ無線タグ情報との組み合わせを保存する。
【０１１９】
図１２は、上記無線タグ読み取り処理の詳細手順を表すフローチャートである。
【０１２０】
この図１２において、情報読み取り対象とする無線タグ回路素子Ｔoがアンテナ１４近傍に搬送されてきたら、ステップＳ１０１において、無線タグ回路素子Ｔoに記憶された情報を読み出す「Scroll
All ID」コマンドを信号処理回路２２に出力する。これに基づき信号処理回路２２で無線タグ情報としての「Scroll All ID」信号が生成されて高周波回路２１を介して読み取り対象の無線タグ回路素子Ｔoに送信され、返信を促す。
【０１２１】
次に、ステップＳ１０２において、上記「Scroll All ID」信号に対応して読み取り対象の無線タグ回路素子Ｔoから送信されたリプライ信号（タグＩＤ情報等を含む無線タグ情報）をアンテナ１４を介して受信し、高周波回路２１及び信号処理回路２２を介し取り込む。
【０１２２】
次に、ステップＳ１０３において、上記ステップＳ１０２で受信したリプライ信号に誤りがないか否かを公知の誤り検出符号（ＣＲＣ符号；Cyclic Redundancy Check等）を用いて判定する。
【０１２３】
判定が満たされない場合はステップＳ１０４に移ってＮに１を加え、さらにステップＳ１０５においてＮ＝５かどうかが判定される。Ｎ≦４の場合は判定が満たされずステップＳ１０１に戻り同様の手順を繰り返す。Ｎ＝５の場合はステップＳ１０６に移り、エラー表示信号を入出力インターフェイス３１及び通信回線３を介し上記端末５又は汎用コンピュータ６へ出力し、対応する読み取り失敗（エラー）表示を行わせた後、ステップＳ１０７でフラグＦ＝１としてこのルーチンを終了する。このように、情報読み取りが不調でも５回までは再試行が行われることにより、読み取り信頼性の確保上、万全を期すことができる。
【０１２４】
ステップＳ１０３の判定が満たされた場合、読み取り対象とする無線タグ回路素子Ｔoからの無線タグ情報の読み取りが完了し、このルーチンを終了する。
【０１２５】
図１３は、図１０に示したタグラベル作成装置２の制御回路３０によるステップＳ２００のフローに対応して、無線タグ回路素子ＴoのＩＣ回路部１５１の制御回路・メモリ１５５で実行される制御手順を表すフローチャートである。
【０１２６】
図１３において、無線タグ回路素子Ｔoでは、前述したように、タグラベル作成装置２のアンテナ１４より何らかの信号が送信されこれをアンテナ１５２で受信して上記整流回路１５３で整流後、上記電源回路により駆動電源が供給されるとこのフローが開始される。
【０１２７】
まず、ステップＳ３０５で、上記アンテナ１５２を介し受信され上記変復調回路１５８により復調された受信信号を解釈し、その中に何らかのコマンドが含まれるかどうかを判定する。図９及び図１０を用いて前述したように、本実施形態では、受信されうるコマンドを含んだ信号として、マッチング信号（図１０のステップＳ２１０参照）、起動信号（図１０のステップＳ２３０参照）、キャパシタ切断信号（図１０のステップＳ２４５参照）、及びタグラベル作成の際の情報書き込み又は読み取りを行うアクセス情報信号（図９、図１１、図１２におけるScroll All ID 信号、Erase信号、Program ID信号、Verify信号等）がある。受信信号がこれらのいずれかである場合にはステップＳ３０５の判定が満たされ、ステップＳ３１０に移る。
【０１２８】
ステップＳ３１０では、上記受信信号が上記マッチング信号であるかどうかが判定される。マッチング信号であった場合は判定が満たされてステップＳ３１５へ移り、前述したように記憶された情報信号に基づいてこのマッチング信号に対応した応答信号を生成し、上記変復調回路１５８によりアンテナ１５２を介しタグラベル作成装置２のアンテナ１４へと返信を行った後、ステップＳ３０５へ戻って同様の手順を繰り返す。マッチング信号でなかった場合はステップＳ３１０の判定が満たされずステップＳ３２０へ移る。なお、ステップＳ３１５で応答信号の返信を行ってステップＳ３０５に戻る前に、マッチング信号であった旨のフラグを制御回路・メモリ１５５内の不揮発メモリ手段に立ててからステップＳ３０５に戻り、これ以降はそのフラグが立ったことを判定してステップＳ３０５、ステップＳ３１０を飛ばしてステップＳ３２０へ移るようにしてもよい（その他の信号についても同様）。
【０１２９】
ステップＳ３２０では、上記受信信号が上記起動信号であるかどうかが判定される。起動信号であった場合は判定が満たされてステップＳ３２５へ移り、前述したように記憶された情報信号に基づいてこの起動信号に対応した応答信号を生成し、上記変復調回路１５８によりアンテナ１５２を介しタグラベル作成装置２のアンテナ１４へと返信を行った後、ステップＳ３０５へ戻って同様の手順を繰り返す。起動信号でなかった場合はステップＳ３２０の判定が満たされずステップＳ３３０へ移る。
【０１３０】
ステップＳ３３０では、上記受信信号が上記キャパシタ切断信号であるかどうかが判定される。キャパシタ切断信号であった場合は判定が満たされてステップＳ３３５へ移る。ここで、前述したように制御回路・メモリ１５５はキャパシタ切断可能回数（言い換えれば、未切断のヒューズＦ１１〜４２の組が何組残っているかの数）ＮＦを記憶保持する機能を備えており、ステップＳ３３５では、この切断可能回数ＮＦを読み出す。
【０１３１】
その後、ステップＳ３４０において、上記ステップＳ３３５で読み出した切断可能回数ＮＦ＝０であるかどうかを判定する（既に切断した個数ＮＦ′を記憶するようにしてこれが配置済みの個数ＮＦo(この例ではＮＦo＝４)に達したかどうかを判定してもよい）。未切断のヒューズＦ１１〜Ｆ４２の組（言い換えれば未切断のキャパシタＣ１〜Ｃ４）が残っている場合はＮＦ≧１であり判定が満たされず、ステップＳ３４５へ移る。
【０１３２】
ステップＳ３４５では、未切断のヒューズＦ１１〜Ｆ４２の組のうち所定の順序に沿った次のヒューズの組切断処理を行う。すなわち対応する上記ＦＥＴｔ１１〜ｔ４２に制御信号を出力し、これに応じてＦＥＴｔ１１〜ｔ４２から当該制御信号に対応したゲート電圧が対応する上記ヒューズＦ１１〜Ｆ４２へ出力され、当該１組のヒューズが溶断（切断）される。
【０１３３】
その後、ステップＳ３５０において、上記ステップＳ３４５による切断に対応して上記ステップＳ３４０で読み出したＮＦの値を１つ減じ、ステップＳ３５５でその減じた値を新たなＮＦの値として更新記憶した後、ステップＳ３６０に移る。
【０１３４】
ステップＳ３６０では、前述したように記憶された情報信号に基づいて所定の（１組のヒューズＦの切断処理が完了した旨の）切断応答信号を生成し、上記変復調回路１５８によりアンテナ１５２を介しタグラベル作成装置２のアンテナ１４へと返信を行った後、ステップＳ３０５へ戻って同様の手順を繰り返す。
【０１３５】
このようにして切断信号が受信されかつＮＦ≧１である間（＝切断可能なヒューズＦ１１〜Ｆ４２の組が１組以上残っている間）は、ステップＳ３０５→ステップＳ３１０→ステップＳ３２０→ステップＳ３３０→ステップＳ３３５→ステップＳ３４０→…→ステップＳ３６０→ステップＳ３０５を繰り返し、上記所定の順序に沿って１組ずつヒューズＦを切断してキャパシタＣ全体による静電容量を減少させ、ＩＣ回路部１５１の感度を向上させていく。このような繰り返しの間にＮＦ＝０となると（＝すべてのヒューズＦ１１〜Ｆ４２を切断した状態となると）、ステップＳ３４０の判定が満たされ、ステップＳ３６５に移る。
【０１３６】
ステップＳ３６５では、（すべてのキャパシタＣ１〜Ｃ４の切断が終了し）これ以上の切断処理は不可能である旨の切断不能信号を生成し、上記変復調回路１５８によりアンテナ１５２を介しタグラベル作成装置２のアンテナ１４へと返信を行った後、ステップＳ３０５へ戻って同様の手順を繰り返す。
【０１３７】
一方、前述のステップＳ３３０において前述した受信信号が上記キャパシタ切断信号でなかった場合は判定が満たされず、ステップＳ３７０へ移る。ステップＳ３７０では、上記受信信号が前述したタグラベル作成の際の情報書き込み又は読み取りを行うアクセス情報信号（Scroll All ID 信号、Erase信号、Program ID信号、Verify信号等）であるかどうかが判定される。アクセス情報信号であった場合は判定が満たされてステップＳ３７５へ移り、前述したように記憶された情報信号に基づいてそれぞれの信号に対応した応答信号を生成し（先の図１１及び図１２参照）、上記変復調回路１５８によりアンテナ１５２を介しタグラベル作成装置２のアンテナ１４へと返信を行った後、ステップＳ３０５へ戻って同様の手順を繰り返す。それらアクセス情報信号でなかった場合はステップＳ３７５の判定が満たされず、上記同様ステップＳ３０５へ戻る。
【０１３８】
以上において、無線タグ回路素子Ｔoの制御回路・メモリ１５５とＦＥＴｔ１１〜ｔ４２とが、各請求項記載の外部からの入力信号に応じて、複数のヒューズを個別に切断可能な切断制御手段を構成し、これらと、キャパシタＣ１〜Ｃ４と、ヒューズＦ１１〜Ｆ４２とが、外部からの入力信号に応じインピーダンスを可変設定し、その設定状態を不揮発性にて保持するインピーダンス制御手段を構成する。
【０１３９】
また、タグラベル作成装置２の高周波回路２１の送信部３２及び信号処理回路２２が、ＩＣ回路部へのアクセス情報を生成し装置側アンテナを介して無線タグ回路素子へ送信し、ＩＣ回路部へアクセスを行う情報アクセス手段を構成し、また高周波回路２１の受信部３３及び信号処理回路２２が、情報アクセス手段によるアクセス情報に応じて無線タグ回路素子より返信された返信信号を、装置側アンテナを介して受信する返信信号受信手段を構成する。また、制御回路３０が実行する図１０のフローのうち、ステップＳ２３５が、この返信信号受信手段で受信された前記返信信号より、前記ＩＣ回路部のインピーダンスと前記タグ側アンテナのインピーダンスとの整合状態を判定する判定手段を構成する。ステップＳ２４５が、この判定手段の判定結果に基づき、無線タグ回路素子のＩＣ回路部のインピーダンス制御手段へインピーダンス設定用の制御信号を出力するインピーダンス制御信号出力手段を構成する。
【０１４０】
さらに、制御回路３０が実行する図９のフローのステップＳ１８、ステップＳ２００が、タグテープの繰り出しが停止したときに判定及びこれに応じたインピーダンス設定用の制御信号の出力を行うように、駆動手段、判定手段、及びインピーダンス制御信号出力手段を制御する装置側第１制御手段を構成する。
【０１４１】
また、制御回路３０が実行する図９のフローのステップＳ２００が、基材テープ１０１の所定領域への印字が開始される前に判定及びこれに応じたインピーダンス設定用の制御信号の出力を行うように、印字手段、判定手段、及びインピーダンス制御信号出力手段を制御する装置側第２制御手段を構成する。
【０１４２】
以上説明した本実施形態において、無線タグラベル作成装置２による無線タグラベルＴの作成時には、基材テープ１０１に備えられた無線タグ回路素子Ｔoに対し、信号処理回路２２及び高周波回路２１で生成されたアクセス情報信号がアンテナを１４介して送信されてＩＣ回路部１５１へのアクセス（読み取り又は書き込み）が行われ、このように情報読み取り又は書き込みが行われた後の無線タグ回路素子Ｔoを備えた印字済みタグラベル用テープ１１０を用いて無線タグラベルＴが作成される。
【０１４３】
このとき、無線タグラベル作成装置２においては、上記無線タグラベルＴの作成前において、インピーダンス整合のために上記同様に信号処理回路２２及び高周波回路３２からアクセス情報としての起動信号をアンテナ１４を介し無線タグ回路素子Ｔoへ送信し（図１０のステップＳ２３０参照）、これに応じて無線タグ回路素子Ｔoより返信された返信信号をアンテナ１４を介して受信する。そしてこの返信信号に基づき、制御回路３０がＩＣ回路部１５１とアンテナ１５２とのインピーダンスの整合状態を判定し（ステップＳ２３５）、さらにその判定結果に基づき、インピーダンス設定用の制御信号（＝この例ではキャパシタ切断信号）が無線タグ回路素子Ｔoの制御回路・メモリ１５５へ出力され（ステップＳ２４５参照）、キャパシタＣ１〜Ｃ４に係る各組のヒューズＦ１１〜Ｆ４２を順次切断し全体の総静電容量を変化させることでＩＣ回路部１５１のインピーダンスが可変に設定される。これにより、無線タグ回路素子ＴoのＩＣ回路部１５１とアンテナ１５２とのインピーダンスを整合させることができる。
【０１４４】
また、無線タグラベル作成装置２ではアクセス時のアンテナ１４と無線タグ回路素子Ｔoとの距離が比較的短く設定されており、本実施形態では上記のようにして、無線タグラベル作成装置２におけるＩＣ回路部１５１へのアクセスに用いるアンテナ１４を利用してインピーダンス整合のための信号送信を行うので、比較的強い信号強度で無線タグ回路素子Ｔoへ信号を届かせ制御回路・メモリ１５５等へ電力を供給することができ、また、ヒューズ切断に必要な電力も供給することができるので、確実にインピーダンス整合を実行することができる。またこのとき、ヒューズＦ１１〜４２を溶断（切断）してインピーダンス可変設定を行い、その設定したインピーダンス値を不揮発性にて保持することができる（＝一度ＩＣ回路部１５１に設定したマッチング条件は電力供給が絶たれても保持されている）ので、いったんインピーダンス整合設定した後は、特に整合用の駆動電源等をさらに発生させなくても、確実に当該良好なインピーダンス整合状態を維持できる。以上の結果、作成した後の無線タグラベルＴをユーザ使用時において、無線タグ回路素子Ｔoのアンテナ１５２とＩＣ回路部１５１との良好なインピーダンス整合状態を常に実現でき、長距離通信を確実に行うことができる。
【０１４５】
また、この実施形態では特に、無線タグ回路素子Ｔoの制御回路・メモリ１５５内にそれ以降さらに切断可能なヒューズＦの組の数や、あるいは既に切断されたヒューズＦの組の数等の情報を記憶しているので、これを用いて過不足のない確実なインピーダンス制御を行うことができる。
【０１４６】
またこの実施形態では特に、図９に示すフローのステップＳ１８及びステップＳ２００において、基材テープ１０１の繰り出しが停止したときにインピーダンス整合状態の判定及びこれに応じたインピーダンス設定用の制御信号の出力を行う。これにより、基材テープ１０１の第１ロール１０２からの繰り出しが停止し、基材テープ１０１上の無線タグ回路素子Ｔoとアンテナ１４との位置関係及び距離が固定された状態で安定的にインピーダンス整合制御を行うことができる。
【０１４７】
また、上記実施形態は、上記以外にも、その趣旨と技術思想の範囲を逸脱しない範囲でさらに種々の変形が可能である。以下、そのような変形例を順次説明する。
【０１４８】
（１）受信信号強度に基づきインピーダンス整合状態の判定を行う場合
上記実施形態においては、図１０に示したように、無線タグラベル作成装置２側から無線タグ回路素子Ｔoへの送信電力を最小値にして送信を行い（ステップＳ２２５、ステップＳ２３０）、その応答があったかどうかによってインピーダンス整合状態の判定を行った（ステップＳ２３５）が、これに限られない。
【０１４９】
すなわち、ステップＳ２２５では特に最小値とはせず所定の固定値で送信を行うようにし、ステップＳ２３５において、起動信号に対応してアンテナ１４で受信された無線タグ回路素子Ｔoからの起動応答信号の信号強度（高周波回路２１の受信部３３の信号強度検出手段であるＲＳＳＩ回路４８にて検出され、信号処理回路２２にて取得されている）が、所定のしきい値以上となったかどうかによって上記インピーダンス整合状態を判定するようにしてもよい。
【０１５０】
インピーダンスが良好に整合されている場合、タグ用アンテナで受信された電力は効率よく整流回路に供給され、タグ用アンテナから反射される電力は小さい。無線タグ回路で起動応答信号等に基づき変調を行う場合、例えば、変調回路のダイオード等によりタグ用アンテナ間が短絡されると整流回路には電力は供給されず受信した電力はほとんどタグ用アンテナから反射される。従って、この変調に伴ってタグ用アンテナから反射される電波の強度変化は大きくなる。インピーダンスが整合されていない場合は、変調回路によりタグ用アンテナ間が短絡されていない場合でも不整合による反射があり、タグ用アンテナから反射される電波の強度はインピーダンスが整合されている場合より大きくなるので、タグ用アンテナから反射される電波の変調に伴う強度変化は小さくなる。これにより、Ｉ−Ｑ直交復調された返答信号はインピーダンスが良好に整合されている程大きくなる。
【０１５１】
すなわちこの場合、受信した返答信号が比較的大きく上記しきい値以上となる場合には、アンテナ１４と無線タグ回路素子Ｔoとの間で良好な通信状態が実現されていることがわかるので、ＩＣ回路部１５１とアンテナ１５２とでインピーダンスが良好に整合されていると判定することができる。
【０１５２】
あるいは、上記実施形態のように送信電力値を最初から最小とするのではなく、何段階かに分けて下げていくようにしてもよい。この際は、キャパシタＣ１〜Ｃ４の静電容量を互いに異なる値とし、起動電力に応じて無線タグラベル作成装置２側より切断すべき容量を指定するようにすると効果的である。すなわち例えば、電力が大きいのに起動応答がなければマッチングずれが大きいので、容量の大きなキャパシタＣを切断する。送信電力が小さくなってから起動しないときは、マッチングずれが小さくなってきているので、容量の小さなキャパシタＣを切断する。この場合、無線タグラベル作成装置２側からキャパシタ切断信号を送信する時に、どのキャパシタＣを切断するか指定した信号を送信すればよい。このとき、無線タグ回路素子Ｔoは切断したキャパシタＣの箇所あるいは未切断で切断可能なキャパシタCの箇所を切断の度に更新、記憶しておき、切断可能かどうかを判定すればよい。
【０１５３】
（２）コイルとキャパシタとを逆に配置した場合
図１４は、この変形例による無線タグ回路素子Ｔo−１の機能的構成を表す機能ブロック図であり、前述の図５に相当する図である。この図１４では、図５に示したキャパシタＣ１,Ｃ２，Ｃ３，Ｃ４，Ｃ０の位置に、これに代えて、リアクタンス素子としてのコイルＬＡ，ＬＢ，ＬＣ，ＬＤ，Ｌ０を設け、また図５に示したコイルＬ１，Ｌ２の位置に、これに代えて、キャパシタＣＡ，ＣＢを設けている。コイルＬＡ，ＬＢ，ＬＣ，ＬＤ，ＬＥには前述の複数（この例では４組×各組２個＝８個）のヒューズＦ１１，Ｆ１２、ヒューズＦ２１，Ｆ２２、ヒューズＦ３１，Ｆ３２、ヒューズＦ４１，Ｆ４２が直列に接続されており、上記ＦＥＴｔ１１，ｔ１２，ｔ２１，ｔ２２，ｔ３１，ｔ３２，ｔ４１，ｔ４２が、制御回路・メモリ１５５からの上記制御信号に応じたゲート電圧で上記ヒューズＦ１１，Ｆ１２，Ｆ２１，Ｆ２２，Ｆ３１，Ｆ３２，Ｆ４１，Ｆ４２にそれぞれ溶断電流を供給するようになっている。
【０１５４】
本変形例の無線タグ回路素子Ｔo−１は、上記実施形態の無線タグ回路素子Ｔoと、互いにリアクタンス素子としてのキャパシタＣとコイルＬとを入れ替えただけであり、動作の詳細等は上記入れ替え部分を除けばほぼ同様であるので、説明を省略する。
【０１５５】
本変形例においても、上記実施形態と同様の効果を得る。
【０１５６】
（３）ヒューズを用いずにインピーダンス調整を行う場合
本変形例は、ヒューズを用いずに浮遊ゲート型のＦＥＴ（電界効果トランジスタ）の電荷量を制御してインピーダンスを制御するものである。
【０１５７】
図１５は、本変形例による無線タグ回路素子Ｔo−２の機能的構成を表す機能ブロック図であり、上記図５、図１１にほぼ相当する図である。この図１５において、無線タグ回路素子Ｔo−２は、アンテナ１５２に接続されたリアクタンス素子としてのキャパシタＣＰと、アンテナ１５２に関し並列に接続された記憶スイッチ素子としての浮遊ゲート型の電界効果トランジスタ（ＦＥＴ）ttAと、外部からの入力信号に応じて制御信号を出力するタグ側第２制御手段として機能する制御回路・メモリ１５５からの制御信号に応じて浮遊ゲート型電界効果トランジスタ（ＦＥＴ）ttAに所定の電荷を発生可能な電荷注入手段としての電界効果トランジスタ（ＦＥＴ）ｔAとを備えている。
【０１５８】
前述したようにタグラベル作成装置２のアンテナ１４から送信された信号に応じて無線タグ回路素子Ｔo−２の制御回路・メモリ部１５５が対応する制御信号（インピーダンス設定用の制御信号）を出力し、さらにこの制御信号に応じて電荷注入手段としてのＦＥＴｔAが浮遊ゲート型電界効果トランジスタttAに所定の電荷（ゲート電荷）を発生（又は消滅）させ、これによって浮遊ゲート型電界効果トランジスタttAの電荷量を制御する（＝容量を変化させる）ようになっている。
【０１５９】
またこのとき、上記実施形態において制御回路・メモリ１５５が切断可能なヒューズＦの組数を記憶していたのと同様に、本変形例では、制御回路・メモリ１５５が浮遊ゲート型電界効果トランジスタttAの電荷量又は電荷量レベルに関する情報、例えば、印加電圧、印加電流やその印加時間等を記憶する（第２不揮発性記憶手段）機能を備え、これによって、例えばその時点で浮遊ゲート型電界効果トランジスタttAに発生しているあるいはさらに蓄積しうる電荷の量や、あるいは電荷量レベル等の情報を取得し、過不足のない確実なインピーダンス制御を行えるようになっている。
【０１６０】
以上において、制御回路・メモリ１５５及びＦＥＴｔAが、外部からの入力信号に応じて、記憶スイッチ素子を制御可能な素子制御手段を構成し、これと浮遊ゲート型ＦＥＴttAとキャパシタＣＰ（リアクタンス素子）とが、外部からの入力信号に応じインピーダンスを可変設定し、その設定状態を不揮発性にて保持するインピーダンス制御手段を構成する。また制御回路・メモリ１５５は、浮遊ゲート型電界効果トランジスタの電荷量又は電荷量レベルに関する情報を記憶する第２不揮発性記憶手段をも構成する。
【０１６１】
本変形例においては、上述したように制御回路・メモリ１５５の制御により浮遊ゲート型電界効果トランジスタtｔAの電荷量を制御して増減させることにより、ＩＣ回路部１５１のインピーダンスを可変に設定しかつその設定を不揮発性にて保持することができる。この結果、上記実施形態と同様、インピーダンス可変設定を行うとともにその設定したインピーダンス値を不揮発性にて保持することができる。以上の結果、作成した後の無線タグラベルＴをユーザ使用時において、無線タグ回路素子Ｔoのアンテナ１５２とＩＣ回路部１５１との良好なインピーダンス整合状態を常に実現でき、長距離通信を確実に行うことができる。
【０１６２】
なお、上記の無線タグ回路素子Ｔo−２においては、図１５に示したように、浮遊ゲート型電界効果トランジスタｔAはアンテナ１５２に並列に接続されていたが、これに限られず、直列に接続しても良い。
【０１６３】
図１６はそのようなさらなる変形例の無線タグ回路素子Ｔo−３の機能的構成を表す機能ブロック図である。この図１６において、無線タグ回路素子Ｔo−３では、アンテナ１５２に接続されたリアクタンス素子としてのコイルＬＰと、アンテナ１５２に関し直列に接続された記憶スイッチ素子としての浮遊ゲート型の電界効果トランジスタ（ＦＥＴ）ttB，ttCと、制御回路・メモリ１５５からの制御信号に応じて浮遊ゲート型電界効果トランジスタ（ＦＥＴ）ttB，ttCに所定の電荷を発生可能な電荷注入手段としての電界効果トランジスタ（ＦＥＴ）ｔB，ｔCとを備えている。なお、図中破線で示したように、上記浮遊ゲート型電界効果トランジスタ（ＦＥＴ）ttB，ttCと並列にキャパシタＣQ，ＣRを接続配置しても良い。
【０１６４】
以上において、本変形例では、制御回路・メモリ１５５及びＦＥＴｔB，ｔCが、外部からの入力信号に応じて、記憶スイッチ素子を制御可能な素子制御手段を構成し、これと浮遊ゲート型ＦＥＴttB，ttCとコイルＬＰ（リアクタンス素子）とが、外部からの入力信号に応じインピーダンスを可変設定し、その設定状態を不揮発性にて保持するインピーダンス制御手段を構成する。
【０１６５】
本変形例によっても、上記図１５に示した変形例と同様の作動原理で同様の効果を得ることができる。
【０１６６】
なお、上記図１５及び図１６に示した２つの変形例では、記憶スイッチ素子として浮遊ゲート型ＦＥＴを用いたが、これに限られず、強誘電体型ＦＥＴを用いたり、あるいは別の構造の不揮発性メモリとスイッチの組み合わせを用いて同様の機能を実行しても良い。この場合も同様の効果を得る。
【０１６７】
（４）カートリッジ及びアンテナの配置構成のバリエーション
以上においては、図３に示したように、カートリッジ１００内に存在している状態の基材テープ１０１の無線タグ回路素子ＴoのＩＣ回路部１５１に対し、アンテナ１４を介してアクセス（読み取り・書き込み）を行うとともに、当該アンテナ１４を用いてインピーダンス整合（マッチング）も行った。言い換えれば、アンテナ１４をアクセス用とマッチング用の兼用アンテナとして用いた。そして、マッチングについてはテープ駆動を停止した状態（すなわち印字終了後か印字開始前の少なくとも印字は行っていない状態）にて行った。
【０１６８】
図１７（ａ）はこれを概念的に表した図であるが、本発明の適用はこのようなアンテナ配置に限られるものではない。
【０１６９】
すなわち、図１７（ｂ）に示すように、カートリッジ１００内に存在している状態の基材テープ１０１の無線タグ回路素子ＴoのＩＣ回路部１５１に対しアクセス（読み取り・書き込み）を行うためのアクセス専用アンテナを設けるとともに、カートリッジ１００外において無線タグ回路素子Ｔoに対しインピーダンス整合（マッチング）を行うマッチング専用のアンテナを別途設けても良い。この場合、例えば基材テープ１０１及びカバーフィルム１０３を搬送駆動しつつアクセス専用アンテナによるアクセス（読み取り・書き込み）及び印字ヘッドによる印字を行った後、テープ駆動を停止し、この停止状態でマッチングを行えばよい。
【０１７０】
また逆に、図１７（ｃ）に示すように、カートリッジ１００内に存在している状態の基材テープ１０１の無線タグ回路素子ＴoのＩＣ回路部１５１に対しインピーダンス整合（マッチング）を行うマッチング専用のアンテナを設けるとともに、カートリッジ１００外において無線タグ回路素子Ｔoにアクセス（読み取り・書き込み）を行うためのアクセス専用アンテナを設けても良い。この場合、まず基材テープ１０１及びカバーフィルム１０３の駆動を停止しこの停止状態でマッチングを行った後、テープ搬送駆動を開始し搬送しつつアクセス専用アンテナによるアクセス（読み取り・書き込み）及び印字ヘッドによる印字を行うようにすればよい。
【０１７１】
（５）貼り合わせを行わない場合
すなわち、特に図面を用いて説明はしないが、上記実施形態のように無線タグ回路素子Ｔoを備えた基材テープ１０１とは別のカバーフィルム１０３に印字を行ってこれらを貼り合わせるのではなく、タグテープに備えられたカバーフィルムに印字を行ういわゆるノンラミネートタイプのカートリッジに本発明を適用してもよい。この場合、複数の無線タグ回路素子Ｔoを感熱テープに設け、複数の発熱素子を有する印字ヘッドにより感熱テープの表面に印字を印刷するようにしてもよいし、上記実施形態のようなインクリボンを用いた印字としてもよい。
【０１７２】
本変形例においても、上記実施形態と同様、無線タグ回路素子Ｔoのアンテナ１５２とＩＣ回路部１５１との良好なインピーダンス整合状態を常に実現でき、長距離通信を確実に行えるという本発明本来の効果を得ることができる。
【０１７３】
（６）その他
また、キャパシタＣ１〜Ｃ４のほかに同様のキャパシタを新たに無線タグ回路素子Ｔoの外部より取付（＝いわゆる外付け）て接続可能としてもよい。このようにすることで、例えばキャパシタＣ１〜Ｃ４をすべて合計してもインピーダンス整合のための静電容量が足りなかった場合に、上記外付けの別のキャパシタＣを付け加えることでマッチング範囲を広げることが可能となる。
【０１７４】
また、無線タグラベル作成装置２内において、インピーダンスマッチング時のアンテナ１４の位置と無線タグ回路素子Ｔoの位置は常に同じにしておくことが好ましいので、位置決め用のローラ等を別途設けてもよい。また、位置決め用のマーカを基材テープ１０１に設け、これを検出手段で検出して高精度の位置決めを行うようにしても良い。この場合、図９において説明したようにテープセンサにて検出される識別用マーク（テープ切断位置や無線タグ情報書込み位置の位置決め用）と兼用してもよい。
【０１７５】
また、図９に示したようにステップＳ２００ですべての無線タグ回路素子Ｔoに対しインピーダンス整合処理を行うのでなく、例えば予め操作者がインピーダンス整合処理を行う（言い換えれば長距離通信用無線タグ回路素子である）かどうかを指定するようにしても良い。あるいは逆に、インピーダンス非整合処理を行って（＝インピーダンス整合処理の逆でわざとインピーダンスをずらして）超近距離用無線タグ回路素子Ｔoを意図的に作成しても良い。
【０１７６】
また、現状、無線タグ回路素子Ｔoとの無線通信周波数は、国ごとに少しずつ異なるので、無線タグ回路素子Ｔo（カートリッジ）は共通とし、タグラベル作成装置２を各国対応としてもよい。この場合、アンテナが共通でも各国の無線通信周波数に応じてインピーダンスを整合でき、安定した通信を行える無線タグを作成できる。
【０１７７】
また、以上においては、印刷動作に伴いカートリッジ１００等の内部を移動中の基材テープ１０１（又は感熱テープ）に対して通信（書き込み又は読み取り）を行う例を示したが、これに限られず、基材テープ１０１等を所定位置で停止させて（さらに所定の搬送ガイドにて保持した状態で）上記通信を行うようにしてもよい。
【０１７８】
さらに、以上で用いた「Scroll All ID」信号、「Erase」信号、「Verify」信号、「Program」信号とは、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１７９】
その他、一々例示はしないが、本発明は、その趣旨を逸脱しない範囲内において、種々の変更が加えられて実施されるものである。
【図面の簡単な説明】
【０１８０】
【図１】本発明の一実施形態のタグラベル作成装置が適用される無線タグ生成システムを表すシステム構成図である。
【図２】タグラベル作成装置の詳細構造を表す概念的構成図である。
【図３】カートリッジの詳細構造を説明するための説明図である。
【図４】高周波回路の詳細機能を表す機能ブロック図である。
【図５】無線タグ回路素子の機能的構成を表す機能ブロック図である。
【図６】無線タグラベルの外観の一例を表す上面図及び下面図である。
【図７】図６中VII−VII′断面による横断面図である。
【図８】端末又は汎用コンピュータに表示される画面の一例を表す図である。
【図９】制御回路によって実行される制御手順を表すフローチャートである。
【図１０】図９に示したステップＳ２００の詳細手順を表すフローチャートである。
【図１１】図９に示したステップＳ３０の詳細手順を表すフローチャートである。
【図１２】無線タグ読み取り処理の詳細手順を表すフローチャートである。
【図１３】無線タグ回路素子のＩＣ回路部の制御回路・メモリで実行される制御手順を表すフローチャートである。
【図１４】コイルとキャパシタとを逆に配置した変形例による無線タグ回路素子の機能的構成を表す機能ブロック図である。
【図１５】ヒューズを用いずにインピーダンス調整を行う変形例による無線タグ回路素子の機能的構成を表す機能ブロック図である。
【図１６】浮遊ゲート型電界効果トランジスタとアンテナとを直列に接続た変形例の無線タグ回路素子の機能的構成を表す機能ブロック図である。
【図１７】アンテナをアクセス用とマッチング用の兼用アンテナとして用いた本発明の一実施形態を概念的に表した図、カートリッジ内にアクセス用アンテナを設けカートリッジ外にマッチング専用アンテナを設けた場合を概念的に表した図、カートリッジ外にアクセス用アンテナを設けカートリッジ内にマッチング専用アンテナを設けた場合を概念的に表した図である。
【符号の説明】
【０１８１】
２                タグラベル作成装置
１０              印字ヘッド（印字手段）
１２              圧着ローラ駆動軸（駆動手段）
１４              アンテナ（装置側アンテナ）
２１              高周波回路
２２              信号処理回路（情報アクセス手段、返信信号受信手段）
３０              制御回路（判定手段、インピーダンス制御信号出力手段、
装置側第１制御手段、装置側第２制御手段）
３２              送信部（情報アクセス手段）
３３              受信部（返信信号受信手段）
４８              ＲＳＳＩ回路（信号強度検出手段）
１０１            基材テープ（タグテープ）
１５１            ＩＣ回路部
１５２            アンテナ（タグ側アンテナ）
１５５            制御回路・メモリ（切断制御手段、インピーダンス制御手
段、第１不揮発性記憶手段、タグ側第１
制御手段；素子制御手段、インピーダン
ス制御手段、第２不揮発性記憶手段、タ
グ側第２制御手段）
Ｃ１〜４          キャパシタ（リアクタンス素子、インピーダンス制御手段）
ＣＰ              キャパシタ（リアクタンス素子、インピーダンス制御手段）
Ｆ１１〜４２      ヒューズ（インピーダンス制御手段）
ＬＰ              コイル（リアクタンス素子、インピーダンス制御手段）
Ｔ                無線タグラベル
Ｔo               無線タグ回路素子
Ｔo−１           無線タグ回路素子
Ｔo−２           無線タグ回路素子
ｔ１１〜４２      ＦＥＴ（切断制御手段、ヒューズ制御用電流印加手段、イ
ンピーダンス制御手段）
ｔＡ              ＦＥＴ（素子制御手段、インピーダンス制御手段）
ｔＢ，ｔＣ        ＦＥＴ（素子制御手段、インピーダンス制御手段）
ｔｔＡ            ＦＥＴ（インピーダンス制御手段）
ｔｔＢ，ｔｔＣ    ＦＥＴ（インピーダンス制御手段）
【図１】
2006243920.tif 000003
【図２】
2006243920.tif 000004
【図３】
2006243920.tif 000005
【図４】
2006243920.tif 000006
【図５】
2006243920.tif 000007
【図６】
2006243920.tif 000008
【図７】
2006243920.tif 000009
【図８】
2006243920.tif 000010
【図９】
2006243920.tif 000011
【図１０】
2006243920.tif 000012
【図１１】
2006243920.tif 000013
【図１２】
2006243920.tif 000014
【図１３】
2006243920.tif 000015
【図１４】
2006243920.tif 000016
【図１５】
2006243920.tif 000017
【図１６】
2006243920.tif 000018
【図１７】
2006243920.tif 000019